Podtech/llm-jp-corpus-v4-ja_patent huggingface dataset:
(57)【要約】      （修正有）【課題】わずか１ヶ所の固定固持装置を用いて脱着可能とする黄色回転灯を提供する。【解決手段】回転灯と作業用車両との固定方法は振動に強い方法を採り、短時間での黄色回転灯の取付け及び取外しを可能とする事を特徴とし、複数の作業現場を頻回に往復するなど、一般公道、作業現場を転々とする場合に、黄色回転灯は頻回に渡る脱着が行われるが、脱着作業は僅かな時間で確実に終えることができる。【選択図】図３
0003110338.tif 000002
【実用新案登録請求の範囲】
【請求項１】
作業用車両の運転席屋根部に設置する黄色回転灯を、作業用車両運転席屋根部に取付け及び取外しができる簡便な脱着装置であり、黄色回転灯側下部には、箱枠体の側面枠をもち、そこに装着支持部として平行に装着した１本ないし２本の鋼棒を有し、この鋼棒を受ける作業車両屋根部側には、凹枠の側面枠にＬ字型切り込みを１対ないし２対設け、このＬ字型切り込みに黄色回転灯側の１本ないし２本の鋼棒をＬ字型切り込み奥部へ挿入し、バネ付き装着固定押え部により、固定固持する作業用黄色回転灯脱着装置
【請求項２】
黄色回転灯側下部箱枠体の側面枠に装着支持部として平行に装着した１本ないし２本の鋼棒を左右分割して装着設置する、請求項１記載の作業用黄色回転灯脱着装置
【考案の詳細な説明】
【技術分野】
【０００１】本考案は、作業用車両の運転席屋根部に取付けられる黄色回転灯に関するものであり、黄色回転灯は作業現場において従事する作業員に注意を喚起する目的で黄色回転灯を点灯使用するが、一般公道を走行移動時には使用することはないため、黄色回転灯の脱着を望むユーザーのニーズに応えた、黄色回転灯の簡便脱着を目的とする、装着装置に関するものである。
【背景技術】
【０００２】従来、作業用車両は、限られた作業用現場および限られた作業構内において、そこに従事する作業員などに、作業用車両自車の存在を明示し、注意を促すことを目的として、作業用車両の運転席屋根部に黄色回転灯を備え随時点灯しているが、他の作業所および作業構外へ移動する際、すなわち一般公道を走行する時は、黄色回転灯は使用しない。【０００３】作業用車両が回転灯を装備し、一般公道を走行する場合は、法令により関係行政庁宛、回転灯設置作業用車両の使用申請を必要とする法的背景がある。【０００４】故に、一般公道において黄色回転灯を使用しない作業用車両においては、回転灯の取外しにより、諸届けを必要としない、黄色回転灯の脱着装置が望まれていた。
【考案の開示】
【考案が解決しようとする課題】
【０００５】作業用車両の一般公道走行に際し、前述の課題を解決するため、種々の提案がなされているが、緊急車両赤色回転灯に見られる、磁気素材を回転灯側に貼付し、回転灯の使用時のみ車両の屋根部に装着固定し、回転灯の未使用時は取外し、車両室内に保管する方法が採られているが、回転灯装着時強度には問題があり、特に土木作業現場では作業用車両には継続的で、大きな振動を車両全体に受けるため、磁気装着方法の回転灯は脱落する等欠点がある。
【課題を解決するための手段】
【０００６】前記課題を解決するため、本考案に係る技術的手段として、わずか１ケ所のバネ付固定装置により、黄色回転灯を脱着可能とする方法を特徴とする。【０００７】また、回転灯と作業用車両との固定方法は振動に強いバネ付固定装置を採り、短時間での黄色回転灯の取付け及び取外しを可能とする事を特徴とする。
【考案の効果】
【０００８】本考案によると、複数の作業現場を頻回に往復するなど、一般公道、作業現場を転々とする場合に、作業車両の黄色回転灯は頻回に渡る脱着が行われる訳であるが、脱着作業は僅かな時間で確実に終えることができる。【０００９】また、作業用車両の回転灯脱着時、運転手は特別な工具、経験を必要とせず、黄色回転灯の脱着作業を短時間で確実に終えることができる。
【考案を実施するための最良の形態】
【実施例】
【００１０】以下、本考案の実施形態を図を参照して説明する。図１には、作業用車両Ｘの運転席屋根部に黄色回転灯Ｙが装着された状態を示す斜視図である。【００１１】また、図２には、本考案、黄色回転灯の脱着装置部分を拡大した図であるが、装着用アタッチメントを１ケ所のバネ付固定装置１１にて、固持固定された状態を示す斜視図であることを示すものである。【００１２】本考案に係る黄色回転灯取付け構造であるが、図３により説明すると、作業用車両の屋根部に固定された凹枠２０の側面枠に見て取れるように、Ｌ字型の切り込み部２１には回転灯側底部の箱枠体１０内部の側面枠に平行に設置された、１本ないし２本の鋼棒１３が取付けられており、鋼棒１３は１対ないし２対のＬ字型切り込み部２１へ挿入され、Ｌ字型切り込み部２１の最奥部にて、鋼棒１３は固定され、附属のバネ付固定装置１１により固定固持される、脱着はバネ付固定装置１１により容易に脱着を可能とする構造となっている。【００１３】また、図４で示すように回転灯の大小および重量により、作業用車両の屋根部に固定された凹枠２０の側面枠に見て取れるように、Ｌ字型の切り込み部２１は１対及び２対を選択でき、回転灯側底部の箱枠体１０内部の側面枠に平行に設置された、１本ないし２本の鋼棒１３は左右に分割も可能としており、回転灯の大小および重量により選択を可能とする構造となっている。
【産業上の利用可能性】
【００１４】本考案における、作業用車両向け黄色回転灯脱着装置は構造がシンプルであるため、車両運転者及び現場作業員により、特殊工具を必要としない簡便な手順により容易に脱着を実施でき、作業用車両黄色回転灯は作業現場と一般公道における適切な使用を獲得できる。
【図面の簡単な説明】
【００１５】
【図１】作業用車両と屋根部に取付けられた回転灯を示す斜視図
【図２】本考案黄色回転灯装着部の斜視図
【図３】装着アタッチメントを分離した状態を示す斜視図
【図４】支持鋼棒を分割した装着アタッチメントを分離した状態を示す斜視図
【符号の説明】
【００１６】  Ｘ    土木作業用車両
Ｙ    黄色回転灯
Ｚ    黄色回転灯側箱枠内の支持鋼棒が２本の斜視図
Ｚ’  黄色回転灯側箱枠内の支持鋼棒が１本の斜視図
１０    黄色回転灯側箱枠アタッチメント
１１    バネ付き固定装置
１２    バネ付き固定装置受部
１３    黄色回転灯側箱枠内の鋼棒
１４    黄色回転灯側箱枠内の左右分割鋼棒
２０    運転席屋根部装着アタッチメント
２１    運転席屋根部凹枠の側面枠Ｌ字切り込み
３０    作業用車両屋根部固定取付けボルト孔
【図１】
0003110338.tif 000003
【図２】
0003110338.tif 000004
【図３】
0003110338.tif 000005
【図４】
0003110338.tif 000006
(57)【要約】【課題】  仏壇内陣における華燭を吊持するにあたり、天井部に一切穴をあけることを要せず、位置の修正や微調節も容易な華燭吊持用金具を提供する。【解決手段】  爪切歯状摘み部１ａを先端に有し、該摘み部１ａに閉じる力を常時与えているバネ類１ｂを有するクリップ状体１の下端部に、吊持用鉤体２を取り付ける。  この際、爪切歯状摘み部１ａを鋸歯状に形成する。【選択図】  図１
0003110337.tif 000002
【実用新案登録請求の範囲】
【請求項１】
爪切歯状摘み部を先端に有し、該摘み部に閉じる力を常時与えているクリップ状体の下端部に、吊持用鉤体を取り付けたことを特徴とする仏壇内陣における華燭吊持用金具。
【請求項２】
爪切歯状摘み部が鋸歯状に形成された請求項１記載の仏壇内陣における華燭吊持用金具。
【考案の詳細な説明】
【技術分野】
【０００１】  この考案は、仏壇内陣における華燭（主に洋洛）を天井部より吊持するための吊り金具に関する。
【背景技術】
【０００２】  周知のように仏壇は、上台輪、天井、扉（戸板）、下台輪などから構築された外築部と、その中に構築される屋根、柱（かとう）、らいはんなどから成る内築部とから構成されており、更に各種の華燭が設置されるが、それらのなかで天井部或いは屋根部から吊り設置される華燭の代表的なものとして洋洛がある。この洋洛などを吊り下げるための金具として、従来はヒートンと呼ばれる螺子付き金具（図３）を、予め天井或いは屋根下面に錐穴を設けてそこにねじ込み取り付けることにより設置していた。【０００３】  この取り付けは全体のバランスを見ながらの作業となっており、また取り付け後の位置調節が必要な場合も多々あって、大変な時間と神経を要する作業となっている。
【考案の開示】
【考案が解決しようとする課題】
【０００４】  このような現状において、吊り金具を取り付けるべき仏壇天井部はスペースの制約もあり、錐穴を穿ってヒートンをねじ込む作業自体が困難な上、位置調整によるやり直しに伴う時間と労力、及び仏壇に傷穴が残るなどの問題点があった。【０００５】  本考案はかかる問題点を解決して、仏壇のこのような箇所でも一切穴をあけることを要せず、位置の修正や微調節も容易な華燭吊持用金具を提供することを課題とする。
【課題を解決するための手段】
【０００６】  爪切歯状摘み部１ａを先端に有し、該摘み部１ａに閉じる力を常時与えている（バネ類１ｂを有する）クリップ状体１の下端部に吊持用鉤体２を取り付けて、本考案の華燭吊持用金具とする。【０００７】  この際、爪切歯状摘み部１ａは鋸歯状に形成されていることが望ましい。【０００８】  ここで用いられるクリップ状体１は、主に市販されている一般のクリップと同様、バネ（螺旋バネとは限らない）の復元力で先端の摘み部に常時閉じる力が働いているものであり、その摘み部が爪切りの歯のように互いに向かい合って咬合する形態のものをいう。その咬合する摘み部１ａは吊持力を強化するために逆テーパが望ましいが、その部分をギザキザの鋸歯状に形成して食い込み状にすることが一層望ましい。【０００９】  吊持用鉤体２は、ちょうどヒートンの鉤状湾曲部に相当するものがあればよいわけであるから、例えば通称Ｓカンと呼ばれる金具部品を適用すれば足りる。その場合、図面のように若干変形して取り付けることになる。【００１０】  なお、実際に仏壇内陣に取り付けるに適した形状のクリップ状体１としては、例えば現在電気系統の接点として使われている商品名ＴＳＩＮＥＬＥＣのようなクリップが挙げられる。これに必要に応じ金メッキのような装飾を施して仕上げるものとする。
【考案の効果】
【００１１】  本考案の華燭吊持用金具によれば、仏壇内陣において洋洛のような華燭を吊り設置するにあたり、従来のように天井部に錐穴を穿ってそこにヒートンをねじ込むという困難な作業は不要となり、ゴウ天と呼ばれる天井の格子部にクリップ状体１を（鋸歯状の）爪切歯状摘み部１ａで挟止することにより、下端に吊持用鉤体２を有する吊具が設置された状態になるから、これに華燭を吊持することが可能となる。すなわち、クリップの取り付け操作のみで吊り金具の設置ができるから、現場での作業が著しく簡易となり、修正や微調整も容易で作業時間の短縮にもつながり、さらに仏壇天井部に錐穴を残さずに済むという効果がある。
【考案を実施するための最良の形態】
【００１２】  電気系統接点用のクリップ（商品名ＴＳＩＮＥＬＥＣ）のうち、鋸歯状になっている爪切歯状摘み部１ａ及びその後方の幅が約８ｍｍ、長さ約３５ｍｍのものを用い、その後端の貫通孔に長さ約２０ｍｍの「Ｓカン」の上部を通して輪状に変形し一体化する。これに金メッキを施して仕上げ、華燭吊持用金具とする。なお本考案はかかる例に限定されるものでないことは言うまでもない。
【産業上の利用可能性】
【００１４】  既に述べたように、本考案に用いられるクリップ状体や吊持用鉤体などは既成の商品や部品などを転用することも可能で、製作は甚だ現実的に可能であり、出来上がった吊り金具は在来のものに比べはるかにメリットが大きく、業者及びユーザー共の要望にかなったものであるから、産業上の利用可能性は十分であるといえる。
【図面の簡単な説明】
【００１５】
【図１】本考案一例の見取図
【図２】本考案一例を天井の格子部に取り付けた状態の見取図
【図３】ヒートン一例の正面図
【符号の説明】
【００１６】  １‥‥‥クリップ状体
１ａ‥‥‥爪切歯状摘み部
１ｂ‥‥‥バネ類
２‥‥‥吊持用鉤体
【図１】
0003110337.tif 000003
【図２】
0003110337.tif 000004
【図３】
0003110337.tif 000005
(57)【要約】      （修正有）【課題】季節等の衣類の入れ替え時間を短縮し、負担を軽減するとともに、空間を機能的に使用し、有効に活用する衣裳ケースを提供する。【解決手段】衣裳ケース本体に、同じサイズの引き出しを、前後に二重に設け、使用頻度・季節等の衣類の入替自在としたところを特徴とする。【選択図】図１
0003110328.tif 000002
【実用新案登録請求の範囲】
【請求項１】
衣裳ケース本体に、同じサイズの引き出しを、前後に二重に設け、使用頻度・季節等の衣類の入替自在としたところを特徴とする前後二重引き出し内設式衣裳ケース
【考案の詳細な説明】
【技術分野】
【０００１】本考案は、衣裳ケース本体の引き出し部を前後に二重に設けた、衣裳ケースに関するものである。
【考案の開示】
【考案が解決しようとする課題】
【０００３】季節による衣類の入れ替えは、労働的負担も大きく、また時間も必要になる。従って引き出しを前後に二重に内設し、夏・冬等の衣類を別々に分けて保管し、衣類の入れ替え時には、前後に引き出しを移動させるだけにすることにより、衣類の入れ替えの手間が省け、短時間で入れ替えが可能になり、前述の欠点を解決しようとするものである。
【課題を解決するための手段】
【０００４】本考案は、衣類等の使用頻度・季節の利用度に応じ、常に前方引き出し部を使うので、奥行きが半分になるため使用しやすく、設置された衣裳ケース本体全面が使用でき、機能的に空間を利用している。また、衣類の入替自在とすることにより問題点を解決している。
【考案の効果】
【０００５】上述のように、前後二重引き出し内設式衣裳ケースは、引き出しを前後に内設して、前方引き出し部のみを使用しているので、従来の奥行きの深い引き出しに比べ、衣類等の出し入れがしやすい。また当面使用しない引き出しを後部に内設しているので、前方引き出し部全面を機能的に使用できる。
【図面の簡単な説明】
【０００６】
【図１】斜視図
【図２】断面図
【図１】
0003110328.tif 000003
【図２】
0003110328.tif 000004
【手続補正書】
【提出日】平成16年12月27日(2004.12.27)
【手続補正１】
【補正対象書類名】明細書
【補正対象項目名】全文
【補正方法】変更
【補正の内容】
【考案の詳細な説明】
【技術分野】
【０００１】  本考案は、衣裳ケース本体の引き出し部を前後に二重に設けた、衣裳ケースに関するものである。
【背景技術】
【０００２】従来の衣裳ケースは、本体に一個のみ引き出しが内設されており、季節による衣類等の入れ替えに時間を要した。また奥行きが深く使いにくいものであった。
【考案の開示】
【考案が解決しようとする課題】
【０００３】  季節による衣類の入れ替えは、労働的負担も大きく、また時間も必要になる。従って引き出しを前後に二重に内設し、夏・冬等の衣類を別々に分けて保管し、季節の変わり目には、前後に引き出しを移動させるだけで済み、衣類の入れ替えの手間が省け、短時間で衣類の整理が可能となる。また使用頻度の少ない書類等を後方の引き出しに配置することができ、前述の欠点を解決しようとするものである。
【課題を解決するための手段】
【０００４】  本考案は、書類等の使用頻度・季節の衣類等を、分類種分けして保管するので引き出しの奥行きが浅くなるため、使用しやすい。また、設置された衣裳ケースの、前方引き出し全面が使用でき、機能的に空間を利用できるばかりでなく、引き出しの挿脱自在とすることにより問題点を解決している。
【考案の効果】
【０００５】  上述のように、前後二重引き出し内設式多目的衣裳ケースは引き出しを前後に内設して前方引き出し部のみを使用するので、従来の奥行きの深い引き出しと比べ、衣類等の出し入れがしやすい。また、季節による衣類等の入れ替えが短時間で可能となり時間的・労働的負担が軽減されるばかりでなく、当面使用しない引き出しを、後部に内設するので、前方引き出し部全面を機能的に使用できる。
【図面の簡単な説明】
【０００６】
【図１】斜視図
【図２】横断断面図
【符号の説明】
【０００７】１  衣裳ケース本体
２  引き出し
３  凹状取っ手
４  本体側枠の厚み
５  引き出し側枠の厚み
６  引き出しの空洞部
【手続補正２】
【補正対象書類名】図面
【補正対象項目名】全図
【補正方法】変更
【補正の内容】
【図１】
0003110328.tif 000005
【図２】
0003110328.tif 000006
(57)【要約】      （修正有）【課題】ワンパスで高温の水を一気に冷却し、同量を吐出する冷却システムを提供する。【解決手段】溝付二重管１を角形に巻き、中央スペースにポンプ２を設置している。水の巡回回路は水槽４の水を吸水管１０からポンプで汲み上げ、往路ヘッダー５で各溝付二重管え分岐冷却され、復路ヘッダー６で合流し、吐出管９で水槽へ帰る。この回路を高速巡回しながら水は冷却される。一部この水を吐出管７から取出し使用する。同量は給水口８から供給される。【選択図】図１
0003110324.tif 000002
【実用新案登録請求の範囲】
【請求項１】
ワンパス冷却に必要な伝熱面積をもつ溝付二重管（熱交チューブ）を角形に巻き中央スペースに同等の能力を持つ最高速の巡回ポンプを配置する。この上部ユニットと下部に冷凍機（コンデンシングユニット）の間欠運転（ＯＮ，ＯＦＦ）に必要な最小限度の水量をもつ水槽を組合せる。水を上下に高速巡回させ、この回路に注入される高温水は１気に冷却され同量を吐出、出来る。
【請求項２】
凍結防止策として主回路からフロートスイッチを有する小管径バイパスを設け凍結予兆の信号をこのフロートスイッチから得て、冷凍機（コンデンシングユニット）を停止する。
【考案の詳細な説明】
【考案の詳細な説明】
【０００１】  別添の書類名図１に全体の構成を示す。溝付二重管（熱交チューブ）▲１▼を角形に巻き、中央スペースにポンプ▲２▼を設置している、溝付二重管は要求される仕様によりその本数を決める、この図では、２本採用しており、ヘッダーで並列に連結している。
【０００２】  水の巡回回路は水槽▲４▼の水を、給水管▲１０▼からポンプ▲２▼で汲み上げ、往路ヘッダー▲５▼で２本の溝付二重管を分岐し、この溝付二重管で冷却され、復路ヘッダー▲６▼に合流し、吐出管▲９▼で水槽に帰る。この回路を高速で巡回しながら、水槽の水をセンサー▲１３▼で水温を検知しながら設定温度に冷却する。
【０００３】  吐出管▲７▼は復路ヘッダー部に取付けポンプ残圧で外部え吐出する。水槽の減量した水量は注水管▲８▼で間欠的に補充される。大型機種では、注水管のボールタップに変え、フロートスイッチ、電磁弁で代替えしている。
【０００４】ヘッダー▲５▼▲６▼は溝付二重管の出側、延長線上に設置せず省スペースの目的で図の様に内側に配置しＵ字管で連結している。
【０００５】  ０℃近く迄冷却する為、溝付二重管、内壁部に凍結が始まり、ついには内管が詰まり、冷凍機が破損する危険がある。これを防止する為、復路ヘッダー▲６▼部に小径バイパス管を設け、フロースイッチ▲１１▼を取り付けている。凍結による主回路の流量減量を比例的にフロースイッチで感知し、信号を得て冷凍機を停止する。
【０００６】  水槽の水量は重要な意味を持つ。注入される水量、水温が固定し、吐出される同量の水の水温が固定されていれば水槽は不要である。凍結の心配もない。現実的にはこの条件に合致した冷凍機は無く、条件も変化する。これを緩衝して呉れるのがこの水槽である。
【０００７】  冷凍条件が下がった場合、冷凍機能力が余る、この分を水槽の水で蓄熱し冷凍機を休止させ、間欠運転にする。本機ではこの間欠運転に支障のない必要最少限度の水量を保有する。水量は吐出水量、出入口温度差、水槽水温の入切温度差（ＤＩＦＦ）により決める。経験的に目安として冷凍機１馬力当り２５ｌ程度としている。
【０００８】  全体構成と上部ユニット部と下部水槽部を分離出来る様にしている。上部ユニットはそのまま一般のチラー用として大型水槽に直結出来る。又、下部水槽上部に掃除口▲３▼を設け、中の点検、高圧水により洗浄を可能にしている。
【０００９】  本機は熱交換器（溝付二重管）、ポンプ、水槽の組合せユニットで、冷凍機は別置きとしている。従って冷凍機は、用途、設置条件により各種機種が自由に選べる。
【００１０】  復路ヘッダー▲６▼に水没型センサー▲１３▼を取付けている、接続するサーモスタットは凍結防止の為、マイナスサイドの設定が出来ない様、温度調節範囲、下限値０℃以上のものを選ぶ。
【００１１】  以上のシステムで例えば、水道水を直結し夏場水温２５℃×１３ｌ／分を常時給水し連続して２℃の吐出水を得る場合、本機の溝付二重管（熱交換器）の２０，０００ｋｃａｌ／時（冷凍機１０馬力）を選択すればよい。条件変更の場合でも冷凍機間欠運転の制約はあるが２０，００００ｋｃａｌ／時の範囲内でワンパス冷却は可能である。
【００１２】  一般のチラーの様に大型水槽を持ち、小容量の熱交換器（冷凍機）で時間を掛け冷却し、この水を１時的に大量に使用する様なことは出来ない。基本的に注水量、吐出量が同量で、水温を連続的に冷却するシステムです。
【００１３】  用途として冷却条件（水温、水量）が比較的固定し連続使用する様な用途に適する、食品工場（うどん、豆腐、野菜等）、水産加工工場、飲料工場（焼酎、調味料等）である。
【図面の簡単な説明】〔図１〕
〔構成図〕
【符号の説明】
１  溝付二重管              ８  給水口
２  ポンプ                  ９  復路菅
３  掃除口                １０  往路管
４  水槽                  １１  凍結防止流量スイッチ
５  往路ヘッダー          １２  冷媒出入口
６  復路ヘッダー          １３  センサー
７  吐出口
【図１】
0003110324.tif 000003
【手続補正書】
【提出日】平成17年2月3日(2005.2.3)
【手続補正１】
【補正対象書類名】実用新案登録請求の範囲
【補正対象項目名】全文
【補正方法】変更
【補正の内容】
【実用新案登録請求の範囲】
【請求項１】
複数本の溝付二重管▲１▼を角形に巻き中央にポンプ▲２▼を配置しこの複数本の溝付二重管▲１▼を往路ヘッダー▲５▼復路ヘッダー▲６▼で集合させるがこの両ヘッダーを複数本の溝付二重管▲１▼の突起部の内側に配置し、連結してなる冷水機。
【請求項２】
請求項１記載のユニット下部に水槽▲４▼を置き、往路管▲１０▼ポンプ▲２▼で水を汲み上げ往路ヘッダー▲５▼を経て溝付二重管▲１▼で冷却し、復路ヘッダー▲６▼復路管▲９▼で水槽▲４▼え回帰させこの回路を繰返し巡回させる冷水機。
【請求項３】
復路管▲９▼の枝管に流量スイッチ▲１１▼を取付け、凍結予兆の流量減少の信号を得て冷凍機を停止させる冷水機。
(57)【要約】      （修正有）【課題】トイレ便座を男子小便用として使用する時に、直接手で上下して手先を汚さなくて良いようにするトイレの便座につける取っ手を提供する。【解決手段】トイレ便座本体１の側面に取っ手２を粘着テープで取り付ける事により、取っ手で便座を上下することができるようにしたので手を汚さない。【選択図】図１
0003110330.tif 000002
【実用新案登録請求の範囲】
【請求項１】
トイレに便座側面に粘着テープで取っ手を付ける事により、手を汚すことなく男子用として使用する事ができる便座用取っ手。
【考案の詳細な説明】
【考案の詳細な説明】
【考案が解決しようとする課題】
【０００１】男子用として使用する時に便座を手で上下するのは手先を汚す問題点があった。
【考案が解決する為の手段】
【０００２】便座本体１に取っ手を付ける事により、取っ手２で便座を上下する事ができる。
【考案の効果】
【０００３】手で直接便座を上下しなくてもよいので手を汚さない。
【図面の簡単な説明】
【図１】便座の側面に粘着テープで取っ手を取り付けた図面。
【符号の説明】
１、便座本体    ２、便座取っ手
【図１】
0003110330.tif 000003
【手続補正書】
【提出日】平成17年2月8日(2005.2.8)
【手続補正１】
【補正対象書類名】実用新案登録請求の範囲
【補正対象項目名】全文
【補正方法】変更
【補正の内容】
【実用新案登録請求の範囲】
【請求項１】
：トイレの便座側面に粘着テープで取っ手を取り付けている便座
(57)【要約】      （修正有）【課題】宝石で装飾された筆記具は贅沢品または逸品としての役目を果たし、通常の目でも楽しめるものであるが、さらに感賞するための拡大鏡を備える。【解決手段】本考案は、宝石が取り付けられ、取外可能に収容されるルーペを有する筆記具を提供する。利用者はルーペを利用して比較的簡単に宝石を観察することができる。【選択図】図１
0003110326.tif 000002
【実用新案登録請求の範囲】
【請求項１】
第１部分と第２部分とを具備する筆記具であって、当該筆記具に宝石が取り付けられている筆記具において、上記第１部分に取外可能に収容されているルーペを具備することを特徴とする筆記具。
【請求項２】
上記宝石がダイアモンド片であることを特徴とする請求項１に記載の筆記具。
【請求項３】
上記宝石が第１部分に取り付けられていることを特徴とする請求項１に記載の筆記具。
【請求項４】
上記宝石が上記第１部分の一端に取り付けられていることを特徴とする請求項１に記載の筆記具。
【考案の詳細な説明】
【技術分野】
【０００１】
本考案は、筆記具、特に、ペンなどに関する。
【背景技術】
【０００２】
宝石で装飾された筆記具、例えば、ダイアモンド片を備えたペンは、贅沢品または逸品としての役目を果たす。宝石は通常の目でも楽しめるものであるが、カラーに関して上質な宝石を賞賛したりする人は、拡大鏡のような宝石を観察する道具を持つことを好む。しかしながら、こうした観察道具は、別に持ち運ぶには幾分、不便なものである。
【考案の開示】
【考案が解決しようとする課題】
【０００３】
本考案の目的は、従来の問題点の少なくとも１つ或いは１つ以上を解決することにある。また、本考案の目的は、最低限、有用な選択肢を公衆に提供することにある。
【課題を解決するための手段】
【０００４】
そこで、本考案は、第１部分と第２部分とを備える筆記具であって、当該筆記具に宝石が取り付けられていると共に、上記第１部分に取外可能にルーペが収容されている筆記具を提供する。
ここで、宝石はダイアモンド片であるのが好ましい。また、任意ではあるが、宝石は上記第１部分に取り付けられる。特に好ましくは、宝石は上記第１部分の一端に取り付けられる。
【考案を実施するための最良の形態】
【０００５】
以下、図面を参照して、本考案の好適な実施形態について例を用いて説明する。
本考案の目的、特徴、および、態様を以下の記載によって開示し、また、これら本考案の目的、特徴、および、態様は以下の記載から明らかとなる。なお、以下の説明は、単なる例であって、本考案の広範な態様を限定するものではなく、この構造の例は本考案の広範な態様を単に具体化したものであることは当業者には明らかであろう。
【０００６】
図１は、本考案の筆記具１０を示しており、ここでは、その構成要素が分解された形で示されている。図１に示した筆記具１０は、ボールペンの態様をとっているが、当然のことながら、その他の態様の筆記具、例えば、万年筆やシャーペンのようなものでもよい。
【０００７】
ペン１０は、第１部分３０と第２部分４０とに分かれている。これら部分は、概して、互いに分離可能であるが、このことは本考案において必要不可欠なものではない。第２部分４０は、ボールペンのフィルタ５０を収容する。第１部分３０は、さらに、３つの部分、すなわち、クラウン部分３２と、取外可能な上方バレル部分３４と、下方バレル部分３６とに分かれており、クラウン部分３２は、上方バレル部分３４の一端に取り付けられ、上方バレル部分３４は、下方バレル部分３６に接続される。取外可能な上方バレル部分３４内には、観察具、例えば、ルーペ６０が収容される。しかしながら、図１に示した第１部分３０の構造は、単なる例であって、他の構造でもよい。例えば、クラウン部分３２と観察具６０を収容した上方バレル部分３４とだけによって第１部分３０を形成し、上方バレル部分３４を第２部分４０に直接接続するようにしてもよい。
【０００８】
第１部分３０の一端にあるクラウン部分３２には、宝石３８が取り付けられる。しかしながら、宝石３８を筆記具１０の別の部分、例えば、第１バレル部分３４の本体に取り付けてもよい。
図１に示した観察具６０は、特に、宝石がダイアモンド片である場合には、ルーペである。ルーペは、シンメトリー（対称性）の定性的な評価ができるように、例えば、倍率が６．５や１０の拡大レンズを備えたシンプルな輝度評価具である。ルーペ６０は、余分な光を遮断しフィルタリングするための半透明のルーペ接眼部６２と、ルーペレンズ６４と、ルーペシリンダ６６とを具備する。当然のことながら、ルーペ６０は、第１部分３０内に収容される大きさである。また、観察具６０は、他の宝石を見るのに独立して使用可能である。
【０００９】
図２に示されているように、完璧なシンメトリーでカットされたとき、ダイアモンドのプロポーションは、８つのハートと８つのアロー（矢印）とを映し出す。魅力的に黒が分布していることにより、見る者に、石が左右に揺れ動いているような良好な煌めきを与える。８つのハートによって構成されるパターンは、ダイアモンドのパビリオン側からルーペによって見られ、８つのアロー（矢印）は、ハート＆アローダイアモンドの上方（クラウン側）からルーペを使って見られる。
【００１０】
本考案の筆記具１０は、その利用者が筆記具１０に取り付けられている宝石を見るための役に立つ適切な道具を持つことを可能とする。
【００１１】
本考案の好適な実施形態を例を挙げて詳細に説明したが、当業者に本考案を修正したり適合させたりすることが起こり得ることは明らかである。また、本考案の実施形態は、例や図２よる制限を意図するものではない。実用新案登録請求の範囲にも記載されているように、修正や適合も本考案の範囲内のものである。例えば、１つの実施形態の一部として記載され図示された特徴を別の実施形態に利用してさらに別の実施形態を構成することもできる。このように、本考案は、実用新案登録請求の範囲およびその均等な範囲内で生じうる修正や変更を含むものである。
【図面の簡単な説明】
【００１２】
【図１】本考案の筆記具の分解図である。
【図２】本考案の筆記具に備えられているルーペで見たダイアモンド片を示した図である。
【符号の説明】
【００１３】
１０    筆記具
３０    第１部分
３２    クラウン部分
３４    上方バレル部分
３６    下方バレル部分
３８    宝石
４０    第２部分
５０    フィルタ
６０    観察具、または、ルーペ
６２    半透明接眼部
６４    レンズ
６６    ルーペシリンダ
【図１】
0003110326.tif 000003
【図２】
0003110326.tif 000004
(57)【要約】      （修正有）【課題】人の体温や加温器具により作り出された暖気が、襟元開口部から寝具外に放出されてしまうことを防止する。【解決手段】本考案物の側生地を「ガーゼ」状の布地とし、中に収める「わた」等の量を少なくして作成して高い柔軟性を確保し、それを掛けふとん等の上部から垂下させることとで、掛けふとん等と本考案物との摩擦を大きくして、ずれや落下を防止し、呼吸も確保でき，しかも頚部の圧迫度もきわめて軽度となる。【選択図】図３
0003110341.tif 000002
【実用新案登録請求の範囲】
【請求項１】
就寝等で人が横臥する際の、人体下部に敷かれた寝具（以降、敷きふとん等と称する）と人体上部に掛けられた寝具（以降、掛けふとん等と称する）で形成される襟元開口部からの暖気の流出を防ぐ目的で，襟元開口部をふさぐために、「ガーゼ」様の高い柔軟性をもつ生地と少量の「わた」様の詰め物とから作成した、掛けふとん等の上側から敷き布団等方向に垂れ下げて用いる、高い柔軟性をもち自重で下部敷きふとん等との高い密着度を形成する寝具。
【考案の詳細な説明】
【技術分野】
【０００１】  この考案は、人が横臥する際に用いる寝具に関するものである。
【背景技術】
【０００２】  従来は、人体の上下を覆う寝具があったが、襟元を覆うことは難しかった。
【考案の開示】
【考案が解決しようとする課題】
【０００３】  従来の寝具は，敷きふとん等と掛けふとん等のように、人体の上下を覆う機能しかなく、人の体温や加温器具により作り出された暖気は、襟元開口部から寝具外に放出されてしまっていた。それを防ぐために、たとえば「かいまき」などが用いられるが，それらは、掛けふとん等の下に位置させられていることから，敷きふとん等と掛けふとん等の間で形成された暖気の保存には、機能を発揮していなかった。この暖気保存が本考案の最大の目的である。
また、考案から派生する課題として，本考案物のずれ落ち防止、自動的な比較的高い密閉度の確保、考案物が使用横臥者の口や鼻を塞いだ際の呼吸の確保、垂れ下がった考案物による使用横臥者の頚部への圧迫の排除等が考えられる。
【課題を解決するための手段】
【０００４】  本考案物を、本考案物の側生地を「ガーゼ」状の布地とし、中に収める「わた」等の量を少なくして作成して高い柔軟性を確保し、それを掛けふとん等の上部から垂下させることとで、掛けふとん等と本考案物との摩擦を大きくして、ずれや落下を防止し、いかような襟元開口部の形状にも適応でき、その上、呼吸も確保でき，しかも頚部の圧迫度もきわめて軽度となる。
【考案の効果】
【０００５】  従来の寝具では実現できなかった暖気の流出阻止機能が認められ、人体と上下の寝具で形成された暖気の活用度が高まる。また、「かいまき」等の寝具の多用から発生する、人が感じる異物感も減少し、安眠が確保しやすくなる。
【考案を実施するための最良の形態】
【０００６】  図４及び図５に示すように、横臥者の襟元部分を掛けふとん等の上から覆い、横臥者の方向に垂れ下げて使用する。
【実施例】
【０００７】  以下、本案の実施例について説明する。
（イ）２を掛けふとん等の上部に位置させる。
（ロ）４を横臥者の襟元から敷きふとん等の方向に垂下させる。
（ハ）自重により、頚部にまとわりつくようにして開口部が密閉され（実際には多少の通気性は確保されている）、暖気の流出が阻止される。
【産業上の利用可能性】
【０００８】
【図面の簡単な説明】
【０００９】
【図１】「本考案の平面図である。」
【図２】「本考案の側面図である。」
【図３】「本考案の斜視図である。」
【図４】「本考案の使用正面図である。」
【図５】「本考案の使用側面図である。」
【符号の説明】
【００１０】１  ２の部分を折返し縫付けた部分
２  上掛け寝具を覆う部分
３  ２と４を縫い合わせた部分
４  人体及び敷寝具に向かって垂れ下げる部分
５  ４の部分よりも中身を少し増加した部分
６  使用した場合の本考案物の位置
【図１】
0003110341.tif 000003
【図２】
0003110341.tif 000004
【図３】
0003110341.tif 000005
【図４】
0003110341.tif 000006
【図５】
0003110341.tif 000007
(57)【要約】【課題】  一軸剪断破砕機一台でがれき類の大割り破砕から粉末処理が自在に可能とする。【解決手段】粉砕軸９の粉砕刃１０の捻転４５度の長さの決定、粉砕刃１０の上部両側に三角刃１１を取付け、粉砕室４の上部投入口７両側に粉砕軸９のセンタ−方向に合わせて、サイドカッタ−８を取付ける。粉砕室４の内側両面に２カ所つづ衝撃刃５を取付け、粉砕室４下部の排出口１３上部に粒度調整下刃１２を排出口１３の前部より差込み方式として、出入れ自在とし粒度調整下刃１２と粒度調整盤２１と一体化させ、これに振動機２２を取付けてなる、一軸剪断粉砕機。【選択図】図  ３
0003110342.tif 000002
【実用新案登録請求の範囲】
【請求項１】
横型１軸剪断粉砕機に於いて、粉砕軸に固着する粉砕刃は１ｍ当たり４５度軸心方向に捻転させて固着し、捻転させた粉砕刃上部両面直角に三角刃を均等に配置固着して、円筒形粉砕室内に於いて正逆転自在に粉砕する事を特徴した粉砕装置。
【請求項２】
円筒形粉砕室上部の投入口両側のサイドカッタ−は、いずれも粉砕軸心方向に移動可能として取り付け固定したことを特徴とする請求項１記載の粉砕装置。
【請求項３】
円筒形粉砕室の内部左右両壁側に２ケ所づつ４ケ所に衝撃刃を設けたことを特徴する請求項１請求項２記載の粉砕装置。
【請求項４】
円筒形粉砕室下部排出口に粒度調整用下刃を設けて、粉砕室前側より出し入れ自在とし、この下刃取り付け盤に振動機を固定したことを特徴とする請求項１請求項２請求項３記載の粉砕装置。
【考案の詳細な説明】
【技術分野】
【０００１】  本考案は粉砕装置に関するものである。
【背景技術】
【０００２】  従来の建設廃材のがれき類の粉砕については、色々な破砕機で一次破砕をして小さくしてから、ロットミル又はボ−ルミル機等で粉砕している。【０００３】  上記の粉砕方式では一次破砕と二次粉砕処理の両課程が必要となるため、大型機械によるコスト低減を計る以外は、その処理費用が割高となり不経済的で問題も多くあった。
【特許文献】    登録実用新案  ３０８９３７９号  公報
【考案の開示】
【考案が解決しょうとする課題】
【０００４】  がれき類の粉砕には被粉砕物が多種に渡っているため、その目的に依って粒度の種類が異なるので色々と問題が多い、故にその処理物も硬い物体から木材程度の物迄、粉砕処理が出来ないと各種専用粉砕機が必要になり、処理費用も割高となる。
【０００５】  又廃材処理した再生材料の販売価格は低いので、処理費が割高の場合採算がとれず、リサイクル事業の大きな問題点であったので、本考案はこれらの問題を解消する事が目的である。
【課題を解決するための手段】
【０００６】  本考案の粉砕機は投入された粉砕物を円筒形粉砕室で、正逆回転する粉砕刃と、円筒形破砕室上部両側に取り付けてあるサイドカッタで剪断破砕され、破砕室両側の衝撃刃により粉砕し、破砕室下部排出口の粒度調整下刃によって粉砕物の大きさを設定して排出することを特徴とした粉砕装置である。
【０００７】  本考案の粉砕装置の粉砕刃上部の回転軌跡より外に出ないように、粉砕刃上部両面に噛み込み用の三角刃を均等に配置固着し、粉砕刃の捩り角度も軸心をセンタ−として、メ−タ−当たり４５度の基準で捻転させ、排出口の粒度調整下刃には目詰まり防止用の振動機を取り付けたことを、特徴とした粉砕装置である。
【考案の効果】
【０００８】  本考案は一次破砕機の性能を有しながら、粉砕機能も持った構造となって従来型の破砕機と粉砕機二台分を兼ねた粉砕装置としたもので、粒度調整下刃を変更することりよりその処理する粒度は２００ｍｍから１ｍｍ以下までの再生材が得られるようになり、少量廃棄物処理も可能であり従来型の粉砕機より能率及び処理費も安く上がり、経済性をもった粉砕装置である。
【考案の実施するための最良の形態】
【０００９】  以下、本考案の実施形態を図１〜図５に基づいて説明する。
図１においての破砕装置の基本構造は、平成１４年８月７日実用新案登録になった破砕装置と同等の形状であるが、粉砕軸９に固着される粉砕刃１０は粉砕物の種類によって２枚刃から１０枚刃と多くすると共に、その捻転状況も１ｍの長さで４５度とし、粉砕刃１０上部両面均等に粉砕刃１０上部の回転軌跡より外に出ないよう三角刃１１を固着させ、粉砕室４の円筒形ケ−スも粉砕物の種類及び処理量によって、その大きさを変化させたことを特徴とした粉砕装置となっている。
【００１０】  上記形状の粉砕室４上部の投入口７の下部両側に剪断用サイドカッタ−８をサイドカッタ−取付ボルト１８にて、その取付け方向を破砕軸９のセンタ−方向に合わせて粉砕刃１０と間隙調整が出来るように取付け、一次破砕を実施する構造とし、粉砕室４の内部両内側に２か所づつの衝撃刃５を取付け、粉砕室４の真下排出口１３１粒度調整下刃１２を出入れ自在として、その取付け粒度調整盤２１に振動機２２を取付けて、駆動モ−タ−１７の回転により粉砕軸９を正逆回転させて、一次破砕から二次粉砕を自在に実施出来ることを特徴とした粉砕装置である。
【００１１】  以上の構造により粒度調整下刃１２の変更することにより、粒度が０．１ｍｍ〜１００ｍｍ程度の処理材が可能となる。但し粒度が５ｍｍ以下の場合は目詰まりの防止のため振動機２２を作動させる必要がある。上記の関係によりその粉砕物も多種類となってビニ−ル、布、ゴム以外の廃棄物は全て処理可能となり、その処理能力も他粉砕機に比較して高く一次破砕から二次粉砕処理迄一台の機械で実施可能とした事を特徴とした粉砕装置である。
【図面の簡単な説明】
【図１】  本考案の実施形態を示す粉砕装置の平面図
【図２】  本考案の粉砕装置側面の一部切欠断図面
【図３】  本考案の図１のＡ〜Ａ断面図
【図４】  本考案の図３の粒度調整下刃１２の平面図
【図５】  本考案の図４のＢ〜Ｂ断面図
【符号の説明】
１    本体ベ−ス
２    本体架台
３    本体支持板
４    粉砕室
５    衝撃刃
６    粉砕ベ−ス
７    投入口
８    サイドカッタ−
９    粉砕軸
１０  粉砕刃
１１  三角刃
１２  粒度調整下刃
１３  排出口
１４  粉砕軸受
１５  チェンスプロケット
１６  駆動スプロケット
１７  電動モ−タ−
１８  サイドカッタ−取付けボルト
１９  粒度調整支板
２０  粒度調整縦刃
２１  粒度調整盤
２２  振動機
２３  振動用ゴム板
【図１】
0003110342.tif 000003
【図２】
0003110342.tif 000004
【図３】
0003110342.tif 000005
【図４】
0003110342.tif 000006
【図５】
0003110342.tif 000007
(57)【要約】      （修正有）【課題】  本考案は菊苗及び花苗輸送用段ボールケース幅面にミシン目と切取り作業補助用の取っ手穴（手提げ穴）加工を施すことで菊苗及び花苗用トレーの取出し作業の簡素化と軽減化及び作業の安全性向上が出来る菊苗及び花苗輸送用段ボールを提供する。【解決手段】  本考案は菊苗及び花苗輸送用段ボールケース３に特殊回転刃（ロータリーダイカッター）で幅面４に幅面切取り用ミシン目５と幅面切取り作業補助用の取っ手穴（手提げ穴）６の加工を施し、菊苗及び花苗輸送用段ボールケース３から菊苗及び花苗用トレーの取り出し作業を安全且つ合理的におこなえる菊苗及び花苗輸送用段ボールケース【選択図】図２
0003110347.tif 000002
【実用新案登録請求の範囲】
【請求項１】
菊苗及び花苗輸送用段ボールケースからの菊苗及び花苗用トレーの取出し作業の軽減とより安全に作業出来るように菊苗及び花苗輸送用段ボールケースの幅面に特殊回転刃（ロータリーダイカッター）で幅面切取り用ミシン目加工を２箇所施し、幅面切取り作業が安全に且つ簡単に作業出来るように菊苗及び花苗輸送用段ボールケースの幅面の中央上部（上フラップ）に特殊回転刃（ロータリーダイカッター）で幅面切取り作業補助用の取っ手穴（手提げ穴）加工を施すことで菊苗及び花苗輸送用段ボールケースから菊苗及び花苗用トレーの取出し作業軽減と作業の簡素化を図り、且つ、取出し作業者への安全性向上を目的に特殊加工を施した菊苗及び花苗輸送用段ボールケース
【考案の詳細な説明】
【技術分野】
【０００１】  本考案は、菊苗及び花苗輸送用段ボールケースから菊苗及び花苗の専用トレーの取出し作業を軽減する目的で切取り用ミシン目と切取り補助用取っ手穴をケースの幅面に加工を施し、菊苗及び花苗用トレーの取出し作業の軽減と取出し作業に関わる切取り作業の安全性向上を図る目的で菊苗及び花苗輸送用段ボールケースに特殊加工を施した菊苗及び花苗輸送用段ボールケースに関するものである。
【背景技術】
【０００２】  通常の菊苗及び花苗用トレーの取出し作業は、菊苗及び花苗輸送用段ボールケースと菊苗及び花苗用トレーのクリアランスが指の厚み分（１０ミリメートル）も無い作業環境下で、強引に指を菊苗及び花苗輸送用段ボールケースと菊苗及び花苗用トレーの隙間に挿入し菊苗及び花苗輸送用段ボールケースから菊苗及び花苗用トレーのみを持ち上げて取出ししなくてはならないが、菊苗及び花苗用トレーだけでなく菊苗及び花苗輸送用段ボールケースも一緒に持ち上がったりして非常に作業性の悪い作業である。また、菊苗及び花苗用トレー持ち上げる作業自体も作業者にとっては非常に負担になる作業でもある。安全性の観点からも、強引に指先を隙間に挿入し指先を痛めたりし作業性と安全性が著しく悪い作業でもある。
作業性と安全性を重視し指を挿入するに十二分なクリアランスを有すれば、輸送中に菊苗及び花苗輸送用段ボールケース内で菊苗及び花苗用トレーが固定されず不安定な状態の為に輸送中の振動等で菊苗及び花苗を傷めてしまう。
このような環境下で作業現場の作業者は、菊苗及び花苗の不良品発生率の低減をファーストプライオリティーとし、作業性をセカンドプライオリティー、安全性をサードプライオリティーとして選択せざるをえないのが現状の作業環境である。
【考案の開示】
【考案が解決しようとする課題】
【０００３】  本考案は、作業性と安全性の向上のみならず、菊苗及び花苗の不良品発生率のダウンをファーストプライオリティーとし前述の問題点を解決しようとするものである。
【課題を解決するための手段】
【０００４】  本考案は菊苗及び花苗輸送用段ボールケースから菊苗及び花苗用トレーの取出し作業を簡単に且つ安全に作業出来るように菊苗及び花苗輸送用段ボールケースの幅面に幅面切取り用ミシン目加工を２箇所施し、幅面切取り作業が安全に且つ簡単にできるように幅面の中央上部（上フラップ）に幅面切取り作業補助用の取っ手穴（手提げ穴）加工を施すことで菊苗及び花苗輸送用段ボールケースから菊苗及び花苗用トレーの取出し作業の簡素化と作業軽減を図り、且つ取出し作業者への安全性向上を目的に特殊加工を施した菊苗及び花苗輸送用段ボールケース
【考案の効果】
【０００５】  菊苗及び花苗用トレーの取出し作業の安全性向上と作業の軽減は勿論のこと、菊苗及び花苗用トレーの取出し方法が従来の作業方法である菊苗及び花苗用トレーを持上げて取出すという作業から菊苗及び花苗用トレーを手前に引き出して取出すというと作業にすることで、指を挿入する隙間も不要となり、菊苗及び花苗輸送用段ボールケースの長さ寸法を従来の１０％近くコンパクトにすることが出来る。
必然的に菊苗及び花苗輸送用段ボールケースがコンパクトになれば、段ボールケースのコストダウンと輸送効率向上に伴う輸送費負担の軽減と保管スペースの省スペース化が図れるとメリットも発生する。
単純試算で１０％の菊苗及び花苗輸送用段ボールケースの価格低減と輸送に関わる輸送費用の低減及び在庫スペースの省スペース化が図れる。
輸送中や移動中に菊苗及び花苗輸送用段ボールケース内で菊苗及び花苗用トレーが固定されず不安定な状態の為に輸送中の振動等が原因で菊苗及び花苗を傷めてしまう原因の大半を占める空間率が限りなくゼロに近づき、菊苗及び花苗を傷めてしまう確率が極端に減少する。
【図面の簡単な説明】
【０００６】
【図１】菊苗及び花苗用トレーの概略図
【図２】菊苗及び花苗輸送用段ボールケースと菊苗及び花苗用トレーの概略図
【図３】菊苗及び花苗輸送用段ボールケースから菊苗及び花苗用トレーの取出し作業の概略図−１
【図４】菊苗及び花苗輸送用段ボールケースから菊苗及び花苗用トレーの取出し作業の概略図−２
【図５】幅面切取り用ミシン目と切取り補助用取っ手穴を段ボールケースに加工するための特殊回転刃（ロータリーダイカッター）の概略図
【図６】菊苗及び花苗輸送用段ボールケースの展開図と特殊加工の概要図
【図７】幅面切取り作業の初期段階概略図−１
【図８】幅面切取り作業の後期段階概略図−２
【図９】菊苗及び花苗用トレーの取出し作業の初期段階概略図−１
【図１０】菊苗及び花苗用トレーの取出し作業の初期段階概略図−２
【符号の説明】
【０００７】１菊苗及び花苗
２菊苗及び花苗用トレー
３菊苗及び花苗輸送用段ボールケース
４菊苗及び花苗輸送用段ボールケースの幅面
５幅面切取り用ミシン目
６幅面切取り作業補助用の取っ手穴（手提げ穴）
７ミシン目と取っ手穴（手提げ穴）加工用の特殊回転刃（ロータリーダイカッター）
８幅面切取り用ミシン目加工
９幅面切取り作業補助用の取っ手穴（手提げ穴）加工
【図１】
0003110347.tif 000003
【図２】
0003110347.tif 000004
【図３】
0003110347.tif 000005
【図４】
0003110347.tif 000006
【図５】
0003110347.tif 000007
【図６】
0003110347.tif 000008
【図７】
0003110347.tif 000009
【図８】
0003110347.tif 000010
【図９】
0003110347.tif 000011
【図１０】
0003110347.tif 000012
(57)【要約】【課題】  写真の所要部位を容易かつ正確に切断することができる、キーホルダー、ペンダント、インテリア用品、アクセサリー等々に使用可能なシール写真を提供することを目的とする。【解決手段】  表紙１と、その裏面に貼着材２を介して貼着された剥離紙３とからシール体Ａを形成し、このシール体Ａの表紙１に切断線４を環状に形成すると共に、この切断線４の内側に、剥離紙３を剥した表紙の裏面に貼着材２を介して写真５を貼着したとき、当該写真５の影像体５ａの一部または全部が露出可能となるように透明部６または切込部を形成して成る。【選択図】          図３
0003110786.tif 000002
【実用新案登録請求の範囲】
【請求項１】
表紙と、その裏面に貼着材を介して貼着された剥離紙とからシール体を形成し、このシール体の表紙に切断線を環状に形成すると共に、この切断線の内側に、剥離紙を剥した表紙の裏面に貼着材を介して写真を貼着したとき、当該写真の影像体の一部または全部が露出可能となるように透明部または切込部を形成したことを特徴とするシール写真。
【考案の詳細な説明】
【技術分野】
【０００１】
本考案は、キーホルダー、ペンダント、インテリア用品、アクセサリー等々に使用可能なシール写真に関する。
【背景技術】
【０００２】
従来、キーホルダー、ペンダント、インテリア用品、アクセサリー等々には、家族、恋人、ペット等の写真を貼着することが多い。そして、このとき、当該写真の所要部位をハサミ等で所要の大きさに切断したものを使用する。
【特許文献１】特になし
【考案の開示】
【考案が解決しようとする課題】
【０００３】
しかしながら、写真の所要部位をハサミ等で所要の大きさに切断するのは、手間と時間を要するばかりでなく、正確性に欠けるという問題がある。
【０００４】
本考案は、前記した従来の技術が有するこのような問題点を解消したシール写真を提供することを目的とする。
【課題を解決するための手段】
【０００５】
前記目的を達成するために、本考案に係るシール写真は、表紙と、その裏面に貼着材を介して貼着された剥離紙とからシール体を形成し、このシール体の表紙に切断線を環状に形成すると共に、この切断線の内側に、剥離紙を剥した表紙の裏面に貼着材を介して写真を貼着したとき、当該写真の影像体の一部または全部が露出可能となるように透明部または切込部を形成したことを特徴とする。
【考案の効果】
【０００６】
本考案は、前記のとおり構成されるものであるから、以下に述べる効果を奏するものである。
１．シール体から剥離紙を剥し、表紙を写真の表面にその影像体の一部または全部が、表紙の切断線内側に形成された透明部から露出するようにして貼着するものであるから、ハサミ等を切断線に沿わせて切断することが可能となる。したがって、写真の所要部位を容易、迅速かつ正確に切断することができる。
２．また、表紙表面に形成される透明部の形状や透明部外側の模様等を美麗なデザイン、カラー等で形成することにより、キーホルダー、ペンダント、インテリア用品、アクセサリー等々に使用するのに好適なものとなる。
【考案を実施するための最良の形態】
【０００７】
以下、図面を参照して本考案を実施するための最良の一形態を詳細に説明すると、図において示される符号Ａは、表紙１と、その裏面に貼着材２を介して貼着された剥離紙３とから成るシール体である。
【０００８】
このシール体Ａは、例えば図１および図２に示すように、表紙１剥離紙３とも、同形、同大の矩形に裁断されたプラスチックフィルムにて形成されている。
【０００９】
そして、このシール体Ａにおける表紙１の表面には、その周縁に沿って四角形の環状の切断線４が印刷によって形成されると共に、この切断線４の内側には、写真５の影像体５ａの一部または全部が露出可能な透明部６または切込部が形成されている。
【００１０】
この透明部６は、表紙１を透明プラスチックフィルムにて形成し、この透明プラスチックフィルムに切断線４および模様等を透明部６を残して印刷することによって形成される。
そして、この透明部６の大きさと形状は、例えば図３に示すように、写真５の影像体５ａに適合するように任意の形状（図示例ではハート形）に形成される。
【００１１】
なお、切断線４は、図示例では、ミシン目状に印刷形成されているが、線状その他形状に形成してもよいことは勿論である。
【００１２】
次いで、本考案の使用方法の一例を説明すると、先ず図１に示すシール体Ａから剥離紙３を剥し、露出した表紙１の貼着材２側を図２に示す写真５の影像物５ａに適合するように押し付けて表紙１を写真５表面に貼着する。
【００１３】
このさい、図３に示すように、表紙１に設けられた透明部６等を透して写真５に写されている影像体５ａの所望部分が露出するように調整するものである。
【００１４】
そして、最後に、図４に示すように、表紙１の表面に設けられた切断線４に沿って写真５ごとハサミ等で切断するものである。この切断線４は環状に連続印刷して形成されているから切断がきわめて容易、迅速かつ正確にできる。
【００１５】
このようにして形成されるシール写真は、図５に示すように、キーホルダー７に貼着することによって使用される。キーホルダー７の外に、ペンダント、インテリア用品、アクセサリー等々、携帯や装飾品等として広範囲に使用することが可能である。
なお、キーホルダー７等に対しては塗付け以外の手段を用いて固定することもできる。
【図面の簡単な説明】
【００１６】
【図１】本考案に係わるシール体を示すもので、（ａ）はその正面図であり、（ｂ）は平面図である。
【図２】同じくシール体が使用される写真を示す。
【図３】同じくシール体の表紙を写真に貼着した状態を示すもので、（ａ）はその正面図であり、（ｂ）は平面図である。
【図４】同じく表紙の切断線に沿って写真ごと切断した状態を示すもので、（ａ）はその正面図であり、（ｂ）は平面図である。
【図５】同じく使用状態を示す説明図である。
【符号の説明】
【００１７】
Ａ    シール体
１    表紙
２    貼着材
３    剥離紙
４    切断線
５    写真
５ａ  影像体
６    透明部
７    キーホルダー
【図１】
0003110786.tif 000003
【図２】
0003110786.tif 000004
【図３】
0003110786.tif 000005
【図４】
0003110786.tif 000006
【図５】
0003110786.tif 000007